(57)【要約】　　　（修正有）【課題】ランプ電極部の暗部を改善したランプアセンブリを提供する。【解決手段】ランプアセンブリは光を射出するランプ１２０と、ランプ１２０の両端を収容し、透明または半透明材質からなってランプ１２０の端部から射出された光を射出するランプホルダー１３０，１３２を備え、導光板１１０はランプ１２０から射出された光とランプホルダー１３０、１３２を経て射出された光をガイドし、ガイドされた光を射出し、収納容器は複数の側壁１７６，１７８で画成される収納空間にランプアセンブリと導光板１１０を収容する。これにより、ランプ１２０両端部でランプホルダー１３０、１３２により発生する暗部を除去することができ、輝度を向上させることができる。【選択図】図６
2004139958.tif 000002
【特許請求の範囲】
【請求項１】
第１電源電圧の提供を受ける第１電極部と、第２電源電圧の提供を受ける第２電極部を端部に各々備えて、前記第１及び第２電源電圧に応答して光を射出するランプと、
前記ランプの端部を収容し、前記ランプから射出された光を受けかつそれを射出するランプホルダーとを含むことを特徴とするランプアセンブリ。
【請求項２】
前記ランプホルダーは、透明または半透明材質からなることを特徴とする請求項１に記載のランプアセンブリ。
【請求項３】
前記ランプホルダーは、透明シリコンまたは半透明シリコンからなることを特徴とする請求項１に記載のランプアセンブリ。
【請求項４】
前記ランプホルダーは、前記ランプにより発生された熱に対して耐性を有するために透明シリコンまたは半透明シリコンに添加された難燃剤を有することを特徴とする請求項１に記載のランプアセンブリ。
【請求項５】
前記ランプホルダーは、透明シリコンまたは半透明シリコンに添加された硬度調節剤を有することを特徴とする請求項１に記載のランプアセンブリ。
【請求項６】
光を射出するランプと、前記ランプの両端を収容し、前記ランプの両端から射出された光を受けかつそれを射出するランプホルダーを備えるランプアセンブリと、
前記ランプから射出された光と、前記ランプホルダーを経て射出された光をガイドし、ガイドされた光を射出する導光手段と、
複数の側壁により画成される収納空間に前記ランプアセンブリと前記導光手段を収容する収納容器とを含むことを特徴とするバックライトアセンブリ。
【請求項７】
前記導光手段は、前記収納容器の内側方向に向け前記側壁に形成された端部棚部に定着されることを特徴とする請求項６に記載のバックライトアセンブリ。
【請求項８】
前記ランプホルダーは収納空間を備え、前記導光手段の有効ディスプレー領域を画定するラインから延びる線を超えて延び、前記ランプの端部を収納することを特徴とする請求項６に記載のバックライトアセンブリ。
【請求項９】
前記複数の側壁は、前記ランプに近接する第１側壁と、前記第１側壁に対向する第２側壁と、一端が前記第１側壁の一端に連結され、他端が前記第２側壁の一端に連結される第３側壁と、一端が前記第１側壁の他端に連結され、他端が前記第２側壁の他端に連結される第４側壁とからなり、
前記第３側壁の一端と、前記第４側壁の一端の各々は内側方向に突出した突出部分を備え、
前記突出部分と前記導光手段との係合により該導光手段の浮動を阻止することを特徴とする請求項７に記載のバックライトアセンブリ。
【請求項１０】
前記ランプホルダーは、
収納空間を備えて前記ランプの端部を収納する第１部分と、
前記第１部分の一面から延長突出され、前記導光手段の角に形成され、キャッチングジョー部分を形成する一つ以上の側壁と面接触して、前記導光手段の浮動を阻止する第２部分とを含むことを特徴とする請求項９に記載のバックライトアセンブリ。
【請求項１１】
前記ランプホルダーは、
収納空間を備えて前記ランプの端部を収納する第１部分と、
前記第１部分の一面から延長突出された第２部分と、
を含み、前記第２部分は、第１面が前記収納容器に形成されたキャッチングジョー部分を形成する一つ以上の側壁と面接触し、第２面が前記導光手段の角に形成されたキャッチングジョー部分を形成する一つ以上の側壁と面接触して、前記導光手段の移動を阻止するようになっていることを特徴とする請求項６に記載のバックライトアセンブリ。
【請求項１２】
前記収納容器は、
前記ランプの配列方向と平行な第１側壁と、前記第１側壁に対向する第２側壁と、一端が前記第１側壁の一端に連結され、他端が前記第２側壁の一端に連結される第３側壁と、一端が前記第１側壁の他端に連結され、他端が前記第２側壁の他端に連結される第４側壁からなり、
前記第３側壁または第４側壁の一端には、
前記ランプホルダーの第１部分と第２部分の第１面が形成する段付面に対応して第２キャッチングジョー部分が形成されることを特徴とする請求項１１に記載のバックライトアセンブリ。
【請求項１３】
前記導光手段に面接触する第２部分の厚さは、前記導光手段の厚さと同一またはそれより大きいことを特徴とする請求項１０に記載のバックライトアセンブリ。
【請求項１４】
前記バックライトアセンブリは、前記導光手段上に備えられる光学シート類をさらに備え、
前記第２部分の厚さは前記導光手段の厚さと、前記光学シート類の厚さを合した厚さより小さいことを特徴とする請求項１３に記載のバックライトアセンブリ。
【請求項１５】
前記導光手段は、くさび形状を有することを特徴とする請求項６に記載のバックライトアセンブリ。
【請求項１６】
前記導光手段はフラット形状を有することを特徴とする請求項６に記載のバックライトアセンブリ。
【請求項１７】
前記ランプホルダーは、透明または半透明材質からなることを特徴とする請求項６に記載のバックライトアセンブリ。
【請求項１８】
前記ランプホルダーは、透明シリコンまたは半透明シリコンからなることを特徴とする請求項６に記載のバックライトアセンブリ。
【請求項１９】
前記ランプホルダーは、前記ランプにより発生された熱に対して耐性を有するために、透明シリコンまたは半透明シリコンに添加された難燃剤を有することを特徴とする請求項６に記載のバックライトアセンブリ。
【請求項２０】
前記ランプホルダーは、透明シリコンまたは半透明シリコンに添加された硬度調節剤を有することを特徴とする請求項６に記載のバックライトアセンブリ。
【請求項２１】
外部から提供される電力に応答して光を射出するランプの両端を収容し、前記ランプから射出された光を受けかつそれを射出するランプホルダーを備えるランプアセンブリと、
前記光をガイドして射出する導光手段と、前記ランプアセンブリと前記導光手段を収容する収納容器を備えて光を射出するバックライトユニットと、
前記バックライトユニットから射出された光に応答して画像をディスプレーするディスプレーユニットとを含むことを特徴とする液晶表示装置。
【請求項２２】
前記導光手段は前記ディスプレーユニットの第１有効ディスプレー領域に対応して第２有効ディスプレー領域を有し、
前記ランプホルダーは、前記第２有効ディスプレー領域を画定するラインから延びる線を超えて、前記ランプを収容することを特徴とする請求項２１に記載の液晶表示装置。
【発明の詳細な説明】
【０００１】
【発明の属する技術分野】
本発明はランプアセンブリと、これを有するバックライトアセンブリ及び液晶表示装置に関するものであり、より詳細には、ランプ電極部により発生する暗部を改善するためのランプアセンブリと、これを有するバックライトアセンブリ及び液晶表示装置に関するものである。
【０００２】
【従来の技術】
一般に、液晶表示装置（ＬＣＤ）は自己発光をしないので、ＬＣＤパネルを透過した外部光を反射させ情報を表示し、またはＬＣＤパネルの背面に別途の光源、即ち、バックライトアセンブリを設けて情報を表示する。
【０００３】
このような、バックライトアセンブリは光を発生させるランプユニット、ランプユニットから発生した光をＬＣＤパネル側にガイドする導光板、導光板の下部に備えられて漏洩する光を導光板側に反射させる反射板（またはリフレクタ）、導光板から伝達された光の輝度を上昇させる光学シート類を含む。
【０００４】
一般に、バックライトアセンブリの導光板は、ランプユニットの配列位置によりランプユニットが両側部に備えられるフラット（平坦）タイプとランプユニットが一側部に備えられるウェッジ（傾斜）タイプに区分される。
【０００５】
図１は一般のフラットタイプのバックライトアセンブリを説明するための図面である。
【０００６】
図１に示すように、フラットタイプ導光板１０の両側部では光の漏洩を遮断するランプ収納容器（またはランプリフレクタ）１２ａ、１２ｂの内側に備えられるランプユニット１４ａ、１４ｂから光の供給がなされこの光は拡散シート１６側にガイドされる。この時、導光板１０の下部に漏洩する光を再反射させるために別途の反射板１８を備える。現在のバックライトアセンブリに備えられる導光板はポリメチルメタクリレート（ＰＭＭＡ：ｐｏｌｙｍｅｔｈｙｌ　ｍｅｔｈａｃｒｙｌａｔｅ）またはサイクリックオレフィンポリマ（ＣＯＰ；ＣｙｃｌｉｃＯｌｅｆｉｎ　Ｐｏｌｙｍｅｒ）のような高分子物質を材料とするために、その密度が高く、これによりＬＣＤモジュールを構成するいろいろな構成要素内で、最も大きい重さを与えるものとなっている。特に、ノートブックコンピュータのように重さや厚さのファクターが重要な液晶表示装置では、フラットタイプより軽量であるウェッジ（）タイプの導光板を広く利用する。
【０００７】
図２は一般のウェッジタイプのバックライトアセンブリを説明するための図面である。
【０００８】
図２に示すように、ウェッジタイプ導光板２０の一側部には光の漏洩を遮断するランプ収納容器（またはランプリフレクタ）２２の内側にランプユニット２４が設けられ、光はそこから拡散シート２６側にガイドされる。この時、導光板２０の下部に漏洩する光を再反射させるために、別途の反射板２８を備える。
【０００９】
図３は、一般のバックライトアセンブリを説明するための図面であり、特に、一般のバックライトアセンブリの有効及び非有効発光領域を説明するための図面である。
【００１０】
図３に示すように、ランプを支持する役割だけでなく、衝撃及び振動により導光板がＹ−方向に押された時、小さいが導光板のストッパーの役割もしているランプホルダーは、必然的に図３に示すように、二点鎖線に表示されている有効ディスプレー領域３０１の近傍にあることになる。これは暗部のように外観表示品質を低下させるものを生じる要因として作用する。
【００１１】
さらに、空間的制約のために、ランプの非有効発光領域が液晶表示パネルの画面駆動部である有効ディスプレー領域内側に存在することが避けられない。これはバックライトユニットの外観上の暗部を発生させる主要原因である。
【００１２】
これを解決するために、ランプ電極部の長さを減少させて、ランプ非有効発光領域を減少させ、または図３に示した導光板コナー部に隣接した導光板下面にランプから入射される光の経路を変更させるためのパターンを形成してスクリーンコナー部（即ち、ランプ電極部に隣接した部分）に発生される暗部を改善することは既に考えられている。しかし、前記の方法のみではランプ電極部により発生される暗部を改善するに限界がある。
【００１３】
【発明が解決しようとする課題】
本発明の目的は、ランプ電極部の暗部を減少させて輝度を向上させることが可能なランプアセンブリを提供することにある。
【００１４】
本発明の他の目的は、かかるランプアセンブリを有するバックライトアセンブリを提供することにある。
【００１５】
また、本発明の他の目的は、かかるバックライトアセンブリを有する液晶表示装置を提供することにある。
【００１６】
【課題を解決するための手段】
上述した目的を達成するための本発明によるランプアセンブリは、第１電源電圧の提供を受ける第１電極部と、第２電源電圧の提供を受ける第２電極部を端部に各々備えて、前記第１及び第２電源電圧に応答して光を射出するランプと、前記ランプの両端部を収容し、前記ランプから射出された光を受けかつそれを射出するランプホルダーとを含む。
【００１７】
上述した他の目的を達成するための本発明によるバックライトアセンブリは、光を射出するランプと、前記ランプの両端を収容し、前記ランプの両端から射出された光を受けかつそれを射出するランプホルダーを備えるランプアセンブリと、前記ランプから射出された光と、前記ランプホルダーを経て射出された光をガイドし、ガイドされた光を射出する導光手段と、複数の側壁により画成される収納空間に前記ランプアセンブリと前記導光手段を収容する収納容器とを含む。
【００１８】
また、上述した他の目的を達成するための本発明による液晶表示装置は、外部から提供される電力に応答して光を射出するランプの両端を収容し、前記ランプから射出された光を受けかつそれを射出するランプホルダーを備えるランプアセンブリと、前記光をガイドして射出する導光手段と、前記ランプアセンブリと前記導光手段を収容する収納容器を備えて光を射出するバックライトユニットと、前記バックライトユニットから射出された光に応答して画像をディスプレーするディスプレーユニットとを含む。
【００１９】
このような、ランプアセンブリと、これを有するバックライトアセンブリ及び液晶表示装置によると、ランプ両端部を収納するランプホルダーの材質を透明または半透明材質に変更することにより、ランプホルダーにより発生する暗部を除去することができ、これにより輝度を向上させることができる。
【００２０】
【発明の実施の形態】
以下、図面を参照して本発明の望ましい一実施形態をより詳細に説明する。
【００２１】
図４は本発明の一実施形態によるバックライトアセンブリを説明するための図面である。
【００２２】
図４に示すように、本発明の一実施形態によるバックライトアセンブリは、導光板１１０、ランプ１２０、ランプホルダー１３０、ランプカバー１４０、反射板１５０、光学シート類１６０及びモールドフレーム１７０を含む。
【００２３】
導光板１１０は、側部に備えられる入光部を通じて提供される光をガイドして、上部に備えられる出光部を通じて出力する。図面上では導光板の形状を一側部が厚くて、一側部に対向する他側部が薄いウェッジ形状を有するものとして示したが、両側部の厚さが同一のフラット形状を有するものを通じて本発明を具現することもできる。導光板１１０の角には後述するモールドフレーム１７０の突出部分と対応するキャッチングジョー（段付部）１１０ａが形成される。
【００２４】
ランプ１２０は両端に電極部を各々備えて、外部から提供される電源電圧に応答して所定の光を発散する。一般に、ランプの両端はホット電極部とコールド電極部からなり、ホット電極部に供給される電源電圧を第１電源電圧と称し、コールド電極部に供給される電源電圧を第２電源電圧と称する。
【００２５】
ランプホルダー１３０はランプ１２０の電極部を収容するように形成された収納空間を備え、ランプカバーに結合された状態でモールドフレーム１７０に定着される。この時、ランプホルダー１３０は透明または半透明材質で形成されランプ１２０から発散された光を出力する。勿論、ランプ電極部により発生された熱に対して耐熱性を有することは当然である。このような耐熱性を有する材質としてはシリコン材質が望ましい。
【００２６】
ランプカバー１４０は光を発生するランプ１２０を収納し、導光板１１０との結合を通じて光の漏洩を遮断する。ここで、導光板１１０と結合されるランプカバー１４０は一種のクリップタイプとして、導光板１１０の上部面とオーバーラップする第１結合部分の長さが導光板１１０の基底面とオーバーラップする第２
結合部分の長さより小さいことが望ましい。
【００２７】
反射板１５０は導光板１１０の下側部に配置され、導光板１１０の基底面を通じて漏洩する光を導光板１１０側に反射する。
【００２８】
光学シート類１６０は導光板１１０の上側部に配置され、光を拡散させる拡散シートと、拡散シートの上部に配置され拡散された光を第１段階として集光する下方プリズムシート、第１段階の集光をされた光を第２段階として集光する上方プリズムシート及び保護シートなどからなり、導光板１１０によりガイドされた光の経路を調整して出力する。
【００２９】
モールドフレーム１７０は第１乃至第４側壁からなり、各々の側壁は内側方向に向け形成され端部棚部を備えて、備えられた端部棚部の上部に順次に定着される反射板１５０、導光板１１０、ランプカバー１４０及び光学シート類１６０を収納する。
【００３０】
図面では反射板１５０がモールドフレーム１７０に形成された端部棚部に定着されることを説明したが、これはモールドフレーム１７０の下部に配置されることもできる。勿論、この時モールドフレーム１７０と反射板１５０との間には、他の構成要素の存在を排除することが望ましいので、モールドフレーム１７０に備えられるリブを省略することが望ましい。また、反射板１５０を収納する別途のボトムシャーシが備えられることは当然である。
【００３１】
前述したように、バックライトアセンブリに備えられてランプの両電極部を収容するランプホルダーの材質を透明または半透明材質によって具現することにより、従来のランプホルダーを不透明な材質とすることにより発生されるランプ電極部の暗部発生を除去することができる。
【００３２】
前述したモールドフレームについて、図面を参照して詳細に説明する。
【００３３】
図５は図４のモールドフレームを説明するための図である。
【００３４】
図４と図５に示すように、本発明の一実施形態によるモールドフレーム１７０は第１乃至第４側壁１７２、１７４、１７６、１７８からなり、各第１乃至第４側壁１７２、１７４、１７６、１７８は内側方向に向け形成された端部棚部を有する。
【００３５】
第１側壁１７２はランプ１２０に近接し、第２側壁１７４は第１側壁１７２に対向する。ここで、第１側壁１７２は内側方向に向け形成された第１端部棚部１７２ａを有し、後に収納されるランプカバー１４０を支持し、第２側壁１７４は内側方向に向け形成された第２端部棚部１７４ａを有し、後に収納される導光板１１０の第１端部を支持する。勿論、導光板１１０の下部に備えられる反射板１５０縁部を支持することもできる。
【００３６】
第３側壁１７６の一端は、第１側壁１７２の一端に連結され、他端は第２側壁１７４の一端に連結され、第４側壁１７８の一端は第１側壁１７２の他端に連結され、他端が第２側壁１７４の他端に連結される。ここで、第３側壁１７６は内側方向に向け形成された第３端部棚部１７６ａを有し、後に収納される導光板１１０または反射板１５０の第２端部を支持し、第４側壁１７８は内側方向に向け形成された第４端部棚部１７８ａを有し、後に収納される導光板１１０または反射板１５０第３端部を支持する。
【００３７】
また、第３側壁１７６は内側方向に突出された第１突出部分１７６ｂをさらに備え、第３端部棚部１７６ａ上に定着される導光板１１０の浮動を阻止し、第４側壁１７８もやはり、第３側壁１７６と同様に内側方向に突出された第２突出部分１７８ｂをさらに備えて第４端部棚部１７８ａ上に定着される導光板１１０の浮動を阻止する。
【００３８】
図６と図７は、本発明の一実施形態によるバックライトアセンブリを説明するための図面であり、特に図６は本発明の一実施形態によるバックライトアセンブリの有効及び非有効領域を説明するための図面であり、図７は前述した図６の一部を示した拡大図である。
【００３９】
図６に示すように、モールドフレーム１７０の側壁のうち、ランプが配列された方向に平行である側壁から延びる側壁、即ち、第３側壁１７６と第４側壁１７８は各々第１及び第２突出部分１７６ｂ、１７８ｂを備える。このような第１及び第２突出部分１７６ｂ、１７８ｂは導光板１１０のキャッチングジョー１１０ａと接触して導光板１１０がランプ１２０側に移動することを阻止する役割を有する。
【００４０】
また、ランプ１２０から射出された光は導光板１１０側に入射されるが、二つのランプホルダー１３０、１３２が各々ランプ１２０の両端部を取囲む形態を有しても、各々のランプホルダー１３０、１３２が透明または半透明材質からなるために、ランプ１２０から射出された光を導光板１１０側に入射させることができる。
【００４１】
既存の装置ではランプホルダーが光を透過しないために、導光板の有効ディスプレー領域を画定するラインを越えてそれらが存在することには限界があった。このような制限によりランプホルダーは導光板の入光部を十分に支持する役割を果たせないという問題があった。
【００４２】
しかし、本発明の一実施形態によると、ランプホルダーが透明または半透明材質により具現されるので、図７に示したように、導光板の有効ディスプレー領域を定義する基準ラインを所定の長さ（Ｄ）ほど越えても、ランプホルダーにより発生する暗部を除去することができるだけでなく、導光板の入光部を十分に支持することができる。
【００４３】
また、ランプホルダーの鋳型表面を滑らかに加工処理して、透明または半透明ランプホルダーの内部反射率を高くすると、ランプ電極部の暗部をさらに改善することができ、輝度もまた上昇させることができる。
【００４４】
以上の本発明の一実施形態では、モールドフレーム１７０は導光板のストッパの役割を有するために、突出部分１７６ｂ、１７８ｂを有する。即ち、モールドフレームに形成された突出部分１７６ｂ、１７８ｂは衝撃及び振動により導光板がＹ−方向に押された時、導光板の浮動を阻止する。
【００４５】
図８は本発明の他の実施形態によるバックライトアセンブリを説明するための図面である。
【００４６】
図８に示すように、本発明の他の実施形態によるバックライトアセンブリは、導光板１１０、ランプ１２０、ランプホルダー２３０、ランプカバー１４０、反射板１５０、光学シート類１６０及びモールドフレーム２７０を含み、前述した図２と比較して同一の構成要素に対しては同一の符号を付与し、それに関する説明は省略する。
【００４７】
ランプホルダー２３０はＴ字形状を有し、ランプ１２０の電極部を収容するように形成された収納空間を備え、ランプカバー１４０に結合された状態でモールドフレーム２７０に定着される。ここで、ランプホルダーは透明または半透明材質で形成されランプ１２０から発散された光を導光板１１０に出力する。勿論、ランプホルダー２３０はランプ電極部より発生した熱に対して耐熱性を有する。このような耐熱性を有する材質としてはシリコン材質が望ましい。
【００４８】
モールドフレーム２７０は第１乃至第４側壁からなり、各々の側壁は内側方向へ向け形成された端部棚部を備え、備えられた端部棚部の上部に順次に定着される反射板１５０、導光板１１０、ランプカバー１４０及び光学シート類１６０を収納する。
【００４９】
また、モールドフレーム２７０の側壁のうち、ランプアセンブリ１２０、２３０、２３２、１４０が定着される側壁にはキャッチングジョー部分が形成される。
【００５０】
一方、図面の例では反射板１５０がモールドフレーム２７０に形成された端部棚部に定着されるものと説明したが、モールドフレーム２７０の下部に配置されることもできる。勿論、この時モールドフレーム２７０と反射板１５０との間には、構成要素の存在を排除することが望ましいので、モールドフレーム２７０に備えられるリブを省略することが望ましい。また、この場合勿論反射板１５０を収納する別途のボトムシャーシが備えられる。
【００５１】
また、図面ではランプホルダーの形状をＴ字形状であるものと説明したが、Ｙ字形状や矢印形状など多様な形状とすることも可能である。
【００５２】
また、図面上ではランプホルダーに接するモールドフレームの側壁がクローズされた例を説明したが、ランプホルダーの一部面が見えることができるようにモールドフレームの側壁の一部を開放させることもできる。このように、モールドフレームの側壁の一部を開放させることにより、ランプにより発生される熱を外部に、さらに容易に伝達することができる。
【００５３】
図９は前述した図８のモールドフレームを説明するための図面である。
【００５４】
図９に示すように、本発明の他の実施形態によるモールドフレーム２７０は、第１乃至第４側壁２７２、２７４、２７６、２７８からなり、各側壁はモールドフレーム２７０の内側方向に向け形成された端部棚部を有する。
【００５５】
第１側壁２７２はランプに近接し、第２側壁２７４は第１側壁２７２に対向する。ここで、第１側壁２７２は内側方向へ向け形成された第１端部棚部２７２ａを有し、後に収納されるランプカバーを支持し、第２側壁２７４は内側方向へ向け形成された第２端部棚部２７４ａを有し、後に収納される導光板１１０の縁部を支持する。勿論、導光板１１０下部に備えられる反射板１５０縁部を支持することもできる。
【００５６】
第３側壁２７６の一端は、第１側壁２７２の一端に連結され、他端は第２側壁２７４の一端に連結され、第４側壁２７８の一端は第１側壁２７２の他端に連結され、他端が第２側壁２７４の他端に連結される。ここで、第３側壁２７６は内側方向に向け形成された第３端部棚部２７６ａを有し、後に収納される導光板１１０または反射板１５０縁部を支持し、第４側壁２７８は内側方向に向け形成された第４端部棚部２７８ａを有し、後に収納される導光板１１０または反射板１５０縁部を支持する。
【００５７】
また、第３側壁２７６は外側方向に向け凹陥するように第１キャッチングジョー部分（段付部）２７７が形成され、形成された第１キャッチングジョー部分２７７には第１Ｔ字型ランプホルダー２３０の一部が挿入され、第１Ｔ字型ランプホルダー２３０のその他の一部は第３端部棚部２７６ａ上に定着される導光板１１０の浮動を阻止する。
【００５８】
第４側壁２７８は第３側壁２７６と同様に外側方向に向け凹陥するように第２キャッチングジョー部分２７９が形成され、形成された第２キャッチングジョー部分２７９には第２Ｔ字型ランプホルダー２３２の一部が挿入され、第２Ｔ字型ランプホルダー２３２のその他の一部は導光板１１０のキャッチングジョーと接触して第４端部棚部２７８ａ上に定着される導光板１１０の浮動を阻止する。ここで、第２キャッチングジョー部分２７９は第１乃至第４側面２７９ｂ、２７９ｃ、２７９ｄ、２７９ｅからなり、第４側壁２７８の内側方向に向け溝状で形成され、形成された各々の側面２７９ｂ、２７９ｃ、２７９ｄ、２７９ｅはＴ字型ランプホルダー２３０と面接触する。勿論、図面で明確に図示しなかったが、第１キャッチングジョー部分２７７もやはり第２キャッチングジョー部分と同様に第１乃至第４側壁２７７ｂ、２７７ｃ、２７７ｄ、２７７ｅからなり、第３側壁２７６の内側方向に向け溝状で形成され、形成された各々の側面は第２Ｔ字型ランプホルダーと面接触する。
【００５９】
図１０は、本発明の他の実施形態によるバックライトアセンブリを説明するための図面として、特にバックライトアセンブリの有効及び非有効発光領域を説明するための図面である。
【００６０】
図１０に示すように、モールドフレーム２７０の側壁のうち、ランプが配列された方向に平行である側壁から延びる側壁、即ち第３側壁２７６と第４側壁２７８はキャッチングジョー部分２７７、２７９を備える。このようなキャッチングジョー部分は導光板１１０がランプ１２０側に移動することを阻止する役割を有する（ランプホルダーを介し）。
【００６１】
また、ランプ１２０から射出された光は導光板１１０側に入射されるが、二つのランプホルダー２３０、２３２の第１部分２３０ａ、２３２ａが各々ランプ１２０の両端部を取囲む形態を有しても、各々のランプホルダー２３０、２３２が透明または半透明材質からなるために、ランプ１２０から射出された光が導光板１１０側に入射されることを可能にする。
【００６２】
既存の装置ではランプホルダーが光を透過しないために、導光板の有効ディスプレー領域を画定するラインを越えてそれらが存在することには限界があった。このような制限によりランプホルダーは導光板の入光部を十分に支持する役割を果たせないという問題があった。
【００６３】
しかし、本発明の一実施形態によると、ランプホルダーが透明または半透明材質により具現されるので、導光板の有効ディスプレー領域を画定するラインを越えても、ランプホルダーにより発生する暗部を除去することができるだけでなく、導光板の入光部を十分に支持することができる。
【００６４】
また、ランプホルダーの鋳型表面を滑らかに加工処理して、透明または半透明ランプホルダーの内部反射率を高くすると、ランプ電極部の暗部をさらに改善することができ、輝度もまた上昇させることができる。
【００６５】
また、透明または半透明ランプホルダーに導光板用のストッパの役割を有するようにして、従来のモールドフレーム突起により遮断されていた光を透過させることにより、ランプ電極部の暗部の改善及び輝度の向上をさせることができる。
【００６６】
また、図面ではモールドフレームにＴ字型ランプホルダーを収納するためにキャッチングジョー部分を形成し、形成されたキャッチングジョー部分にＴ字型ランプホルダーの第２部分２３０ｂ、２３２ｂの一部が収納され、Ｔ字型ランプホルダーの第２部分２３０ｂ、２３２ｂのその他の一部が導光板の移動を阻止することを説明した。しかし、モールドフレーム２７０にキャッチングジョー部分を形成せずに、Ｔ字型ランプホルダー全体が導光板の移動を阻止するようにすることもできる。勿論、ここでランプホルダーの形状はＴ字またはＬ字であることが望ましい。
【００６７】
図１１は本発明の他の実施形態によるバックライトアセンブリを用いた液晶表示装置を説明するための図面である。
【００６８】
図１１に示すように、本発明の他の実施形態による液晶表示装置は、光を発生するバックライトアセンブリ１００、ディスプレーユニット２００、ボトムシャーシ３００、トップシャーシ４００及びフロントケース５００を含む。
【００６９】
バックライトアセンブリ１００は光の経路を変更するための導光板１１０と、導光板の一側に備えられ導光板側に光を供給するためのランプ１２０と、ランプ１２０に備えられた電極部を収納するランプホルダー２３０と、ランプから発散された光の漏洩を遮断するランプカバー１４０と、導光板１１０の下で導光板１１０から漏洩する光を導光板１１０に反射させ光の効率を高めるための反射板１５０と、導光板１１０から射出される光の輝度を均一にするための光学シート類１６０を含み、収納容器であるモールドフレーム２７０に収納される。前述したバックライトアセンブリ１００は前述した図５と図６で説明したので、詳細な説明は省略する。
【００７０】
ディスプレーユニット２００は、バックライトアセンブリ１００の上部に配置されバックライトアセンブリ１００から射出される光により映像を表示する。ここで、ディスプレーユニット２００は液晶表示パネル２１１、ゲート及びデータＰＣＢ（プリンティッドサーキットボード）２１２、２１３、ゲート及びデータテープキャリアパッケージ２１４、２１５を含む。
【００７１】
ボトムシャーシ３００はトップシャーシ４００との締結を通じてバックライトアセンブリ１００とディスプレーユニット２００を収納するモールドフレーム２７０を収納する。
【００７２】
フロントケース５００はボトムシャーシ３００の下部に備えられるリアケース（図示せず）との締結を通じて液晶表示装置を完成する。
【００７３】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００７４】
【発明の効果】
本発明によると、エッジ型バックライトアセンブリにおいて、ランプホルダーを材料的な側面と構造的な側面で改良して、ランプ電極部の暗部を改善すると同時に輝度を向上させることができる。
【００７５】
また、ランプホルダーの鋳型表面を滑らかに加工処理して、透明または半透明ランプホルダーの内部反射率を高くすると、ランプ電極部の暗部をさらに改善することができ、輝度もまた上昇させることができる。
【００７６】
また、透明または半透明ランプホルダーに導光板ストッパの役割を有するようにして、既存のモールドフレームに形成された突起により遮断されでいた光を透過させることにより、ランプ電極部の暗部改善及び輝度を向上させることができる。
【図面の簡単な説明】
【図１】一般のフラットタイプのバックライトアセンブリを説明するための図面である。
【図２】一般のウェッジタイプのバックライトアセンブリを説明するための図面である。
【図３】一般のバックライトアセンブリの有効及び非有効発光領域を説明するための図面である。
【図４】本発明の一実施形態によるバックライトアセンブリを説明するための図面である。
【図５】図４のモールドフレームを説明するための図面である。
【図６】図４によるバックライトアセンブリの有効及び非有効発光領域を説明するための図面である。
【図７】図４によるバックライトアセンブリの有効及び非有効発光領域を説明するための図面である。
【図８】本発明の他の実施形態によるバックライトアセンブリを説明するための図面である。
【図９】図８のモールドフレームを説明するための図面である。
【図１０】図８によるバックライトアセンブリの有効及び非有効発光領域を説明するための図面である。
【図１１】本発明の他の実施形態によるバックライトアセンブリを用いた液晶表示装置を説明するための図面である。
【符号の説明】
１００　　バックライトアセンブリ
１２、２０、１１０　　導光板
１３０、２３０　　ランプホルダー
１４０　　ランプカバー
１５０　　反射板
１６０　　光学シート類
１７０、２７０　　モールドフレーム
１８、２８、１５０　　反射板
２００　　ディスプレーユニット
３００　　ボトムシャーシ
４００　　トップシャーシ
５００　　フロントケース
１７２、１７４、１７６、１７８　　側壁
２７２、２７４、２７６、２７８　　側壁
【図１】
2004139958.tif 000003
【図２】
2004139958.tif 000004
【図３】
2004139958.tif 000005
【図４】
2004139958.tif 000006
【図５】
2004139958.tif 000007
【図６】
2004139958.tif 000008
【図７】
2004139958.tif 000009
【図８】
2004139958.tif 000010
【図９】
2004139958.tif 000011
【図１０】
2004139958.tif 000012
【図１１】
2004139958.tif 000013